(57)【要約】【課題】ハウジングに配線板状部材が差し込まれるコネクタ装置であって、製造コストの低減を図ることができるもとで、配線板状部材に対するハウジングからの不所望な抜脱を阻止するための係止及びその係止の解除を容易かつ確実に行えるものを提供する。【解決手段】ハウジング１１に差し込まれたフレキシブル印刷配線基板３０に対する係止状態と係止解除状態とをとる係止部材１５と、係止状態をとる係合部材１５に係止解除状態をとらせる係止解除部材１６とを備え、係止部材１５が、ハウジング１１におけるコンタクト配列方向の中央部分に配されて、フレキシブル印刷配線基板３０を係止する係合係止部２２が設けられた弾性アーム部２１を有するものとされ、係止解除部材１６が、ハウジング１１における上述の中央部分に揺動可能に配され、揺動せしめられるとき係止部材１５の弾性アーム部２１を係合係止部２２とともに変位させる。【選択図】図１３
2014029769.tif 000002
【特許請求の範囲】
【請求項１】
板状部材差込み部が設けられたハウジングと、
該ハウジングに配列配置されて設けられ、配線板状部材が上記板状部材差込み部を通じて上記ハウジングに差し込まれたとき、該配線板状部材における複数の接触端子部に接触接続される複数のコンタクトと、
上記ハウジングに設けられ、配線板状部材が上記ハウジングに上記板状部材差込み部を通じて差し込まれたとき、該配線板状部材に対する係止を行う係止状態と上記係止を解除する係止解除状態とを選択的にとる係止部材と、
上記ハウジングに設けられ、上記係止状態をとる上記係止部材に上記係止解除状態をとらせる係止解除部材と、
を備えて成り、
上記係止部材が、上記ハウジングにおける上記複数のコンタクトの配列方向の中央部分に配されて、上記ハウジングに固定される基部と該基部から伸びる弾性アーム部と該弾性アーム部に設けられて上記ハウジングに差し込まれた配線板状部材における係合部との係合状態をとって上記配線板状部材を係止する係合係止部とを有するものとされ、上記係止解除部材が、上記ハウジングにおける上記中央部分に揺動可能に配され、上記係合係止部が上記配線板状部材における係合部との係合状態をとるもとで揺動せしめられるとき、上記係止部材に係合して上記弾性アーム部を変位させることによって上記係合係止部を変位させ、該係合係止部を上記係合状態から解放することを特徴とするコネクタ装置。
【請求項２】
上記ハウジングが、上記中央部分に、上記係止解除部材が揺動せしめられるとき該係止解除部材に当接して該係止解除部材の揺動を制限するストッパー部が設けられたことを特徴とする請求項１記載のコネクタ装置。
【請求項３】
上記係止部材における弾性アーム部が、上記係合係止部の２個が複数のコンタクトの配列方向に配置されて設けられたものとされることを特徴とする請求項１記載のコネクタ装置。
【請求項４】
上記係止部材における弾性アーム部が、該弾性アーム部から伸びて上記係止解除部材による押圧を受ける受圧部が設けられたものとされることを特徴とする請求項１記載のコネクタ装置。
【請求項５】
上記受圧部の２個が複数のコンタクトの配列方向において上記弾性アーム部を挟んで相互対向する位置に配されたことを特徴とする請求項４記載のコネクタ装置。
【請求項６】
上記弾性アーム部が、上記係合係止部の２個が複数のコンタクトの配列方向に配置されて設けられたものとされることを特徴とする請求項５記載のコネクタ装置。
【請求項７】
上記係止部材が、弾性帯状板材がＳ字状の縦断面を形成すべく屈曲せしめられて上記基部及び上記弾性アーム部を成す部分を含むものとして形成され、一端部に上記係合係止部が設けられるとともに、他端部に外部接続部が設けられたことを特徴とする請求項１記載のコネクタ装置。
【請求項８】
上記係止解除部材が、上記ハウジングと一体に形成されたことを特徴とする請求項１記載のコネクタ装置。
【請求項９】
上記ハウジングが、一対の相互対向端面部を有しており、該相互対向端面部の一方に上記板状部材差込み部が開口していて、上記相互対向端面部の他方から上記係止部材における外部接続部が上記ハウジング外へと突出することを特徴とする請求項７記載のコネクタ装置。
【請求項１０】
上記複数のコンタクトの夫々が、上記ハウジングにおける上記相互対向端面部の一方から上記ハウジング外へと突出する接続端子部を有していることを特徴とする請求項９記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、装着された配線板状部材に設けられた接触端子部に接触接続されるコンタクトを備え、さらに、装着された配線板状部材に対する係止及び係止解除を行う係止部材及び係止解除部材を備えたコネクタ装置に関する。
【背景技術】
【０００２】
各種の電子機器に実装される比較的小型なフレキシブル印刷配線基板やフレキシブル平板状ケーブル等の配線板状部材は、種々の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接触端子部に接触接続される導電性のコンタクトを有していて、そのコンタクトを介して、配線板状部材に設けられた接触端子部を主配線基板に設けられた配線端子に電気的に連結する。
【０００３】
従来提案されている、例えば、フレキシブル印刷配線基板とされる配線板状部材の主配線基板への取付けに用いられるコネクタ装置は、配線板状部材が差し込まれる差込み部を形成するものとされて主配線基板に配される、例えば、絶縁材料によって形成されたハウジングを有している。そして、そのハウジング内に配列配置されて設けられて主配線基板に設けられた配線端子に連結され、配線板状部材が差込み部を通じてハウジングに差し込まれるとき、その配線板状部材に設けられた複数の接触端子部に夫々対応するものとなる複数のコンタクトを備えている。
【０００４】
斯かる従来のコネクタ装置にあっては、配線板状部材が差込み部を通じてハウジングに差し込まれたとき、自動的に、ハウジング内に設けられた複数のコンタクトが差し込まれた配線板状部材に設けられた複数の接触端子部に夫々接触接続され、配線板状部材が差込み部を通じてハウジングに適正に差し込まれるだけで、配線板状部材が主配線基板との電気的連結状態におかれる。
【０００５】
このような従来提案されているコネクタ装置にあっては、例えば、フレキシブル印刷配線基板とされる配線板状部材が、主配線基板に配されたハウジングに差込み部を通じて差し込まれて、ハウジングに配された複数のコンタクトが、ハウジングに差し込まれた配線板状部材における複数の接触端子部に夫々接触接続され、それにより、配線板状部材が主配線基板との電気的連絡状態におかれるにあたり、配線板状部材がハウジングから不所望に離脱するような事態が回避されなくてはならない。当然のことながら、ハウジングに配された複数のコンタクトがハウジングに差し込まれた配線板状部材における複数の接触端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００６】
そのため、上述のような、主配線基板に配されるハウジングを有し、ハウジングに配された複数のコンタクトを備えたコネクタ装置に属するものであって、ハウジングに差込み部を通じて差し込まれた配線板状部材に係合して、当該配線板状部材のハウジングからの不所望な抜脱の阻止に関与する係止手段を備えたコネクタ装置が従来提案されている（例えば、特許文献１参照。）。
【０００７】
特許文献１に示されるコネクタ装置（コネクタ(1))にあっては、ハウジング(11)における複数のコンタクト（第１端子(51)及び第２端子(61)) の配列方向の両側部(16)に、一対の取付用補強金具 (ネイル(81)）が夫々取り付けられている。そして、各取付用補強金具には、ハウジングに差込み部（挿入口(33)) を通じて差し込まれた配線板状部材（平板状ケーブル(101))に設けられた係合部 (耳部(113))に係合する掛止部(83c))を有したケーブル保持部(83)が、配線板状部材を係止する係止手段として備えられている。また、ハウジングにおける複数のコンタクトの配列方向の両側部には、一対の係止解除手段（掛止解除部(21)) が、各々が係止手段を成すケーブル保持部を変位させるものとして備えられている。各係止解除手段を成す掛止解除部は、ハウジングからその外部へと突出する操作部(23)を備えており、その操作部が操作されることにより、ケーブル保持部を変位させる状態におかれる。
【０００８】
このような特許文献１に示されるコネクタ装置において、配線板状部材を成す平板状ケーブルが差込み部を通じてハウジングに差し込まれると、ハウジングにおける複数のコンタクトの配列方向の両側部に備えられた一対の係止手段を成すケーブル保持部の夫々が、その掛止部を配線板状部材に設けられた係合部に係合させて配線板状部材を係止する。それにより、ハウジングに差し込まれた配線板状部材が、ケーブル保持部が成す係止手段によって係止され、ハウジングからの不所望な抜脱が阻止される状態におかれる。
【０００９】
その後、ハウジングにおける複数のコンタクトの配列方向の両側部に備えられた一対の係止解除手段が、それらの夫々をなす掛止解除部に設けられた操作部に、例えば、押圧操作とされる操作が加えられて、それにより、係止手段を成すケーブル保持部を変位させるものとされると、ケーブル保持部の掛止部が配線板状部材に設けられた係合部に係合しなくなり、係止手段が配線板状部材を係止した状態が解除される。その結果、ハウジングに差し込まれた配線板状部材がハウジングから抜脱され得る状態におかれる。
【先行技術文献】
【特許文献】
【００１０】
【特許文献１】特開２０１０−３３９７８号公報（８〜１２頁，図８〜２１）
【発明の概要】
【発明が解決しようとする課題】
【００１１】
上述のような、ハウジングに差し込まれたフレキシブル印刷配線基板等の配線板状部材のハウジングからの不所望な抜脱の阻止に関与する係止手段を備えた、配線板状部材の主配線基板への取付けに用いられるコネクタ装置として従来提案されているものにあっては、主配線基板に配されるハウジングにおける複数のコンタクトの配列方向の両側部に、一対の係止手段が夫々設けられ、それに加えて、一対の係止解除手段が夫々設けられる。しかも、各係止手段と各係止解除手段とは、個別の部材をもって構成されている。従って、コネクタ装置を構成する部品点数の増加とコネクタ装置の構成の複雑化とがまねかれており、それらがコネクタ装置の製造コストを嵩ませる要因となっている。
【００１２】
また、差込み部を通じてハウジングに差し込まれた配線板状部材に対する一対の係止手段による係止を解除するにあたっては、ハウジングにおける複数のコンタクトの配列方向の両側部に夫々設けられた一対の係止解除手段を同時に操作することが必要とされ、それにより、配線板状部材についての係止解除が操作性に劣るものとされている。
【００１３】
さらに、ハウジングにおける複数のコンタクトの配列方向の両側部に夫々設けられた一対の係止手段により係止された配線板状部材に、一対の係止手段に不均等な力を及ぼすことになる“こじり”引抜き力が加えられるときには、一対の係止手段のうちの一方の配線板状部材に対する係止保持力が弱められてしまい、配線板状部材のハウジングからの不所望な抜脱が生じてしまう虞がある。
【００１４】
斯かる点に鑑み、本願の特許請求の範囲に記載された発明は、フレキシブル印刷配線基板やフレキシブル平板状ケーブル等とされる配線板状部材の他の配線基板への取付けに用いられる、板状部材差込み部が設けられたハウジングとハウジングに配列配置されて設けられる複数のコンタクトとを備えたコネクタ装置であって、従来提案されているコネクタ装置が備えるような、ハウジングにおける複数のコンタクトの配列方向の両側部に夫々設けられる一対の係止手段及び一対の係止解除手段を設けることが不要とされ、それにより、構成の簡略化と部品点数の減少とによる製造コストの低減を図ることができるもとで、ハウジングに板状部材差込み部を通じて差し込まれた配線板状部材に対するハウジングからの不所望な抜脱を阻止するための係止及びその係止の解除を、確実かつ容易に行えることになるものを提供する。
【課題を解決するための手段】
【００１５】
本願の特許請求の範囲における請求項１から請求項１０までのいずれかに記載された発明（以下、本発明という。）に係るコネクタ装置は、板状部材差込み部が設けられたハウジングと、ハウジングに配列配置されて設けられ、配線板状部材が板状部材差込み部を通じてハウジングに差し込まれたとき、その配線板状部材における複数の接触端子部に接触接続される複数のコンタクトと、ハウジングに設けられ、配線板状部材がハウジングに板状部材差込み部を通じて差し込まれたとき、その配線板状部材に対する係止を行う係止状態と係止を解除する係止解除状態とを選択的にとる係止部材と、ハウジングに設けられ、係止状態をとる係止部材に係止解除状態をとらせる係止解除部材とを備えて構成される。そして、係止部材が、ハウジングにおける複数のコンタクトの配列方向の中央部分に配されて、ハウジングに固定される基部と基部から伸びる弾性アーム部と弾性アーム部に設けられてハウジングに差し込まれた配線板状部材における係合部との係合状態をとって配線板状部材を係止する係合係止部とを有するものとされるとともに、係止解除部材が、ハウジングにおける複数のコンタクトの配列方向の中央部分に揺動可能に配され、係合係止部が配線板状部材における係合部との係合状態をとるもとで揺動せしめられるとき、係止部材に係合して弾性アーム部を変位させることによって係合係止部を変位させ、その係合係止部を係合状態から解放するものとされる。ハウジングにおける複数のコンタクトの配列方向の中央部分は、ハウジングにおける複数のコンタクトの配列方向の両端部に挟まれた部分であって、厳密な意味での中央とその周辺とを含む。
【００１６】
特に、本願の特許請求の範囲における請求項７に記載された本発明に係るコネクタ装置にあっては、係止部材が、弾性帯状板材がＳ字状の縦断面を形成すべく屈曲せしめられて基部及び弾性アーム部を成す部分を含むものとして形成され、一端部に係合係止部が設けられるとともに、他端部に外部接続部が設けられる。
【００１７】
さらに、本願の特許請求の範囲における請求項８に記載された本発明に係るコネクタ装置にあっては、係止解除部材がハウジングと一体に形成されたものとされる。
【００１８】
上述のような本発明に係るコネクタ装置にあっては、配線板状部材がハウジングにそれに設けられた板状部材差込み部を通じて差し込まれると、ハウジングに配列配置された複数のコンタクトが、差し込まれた配線板状部材における複数の接触端子部に接触接続されるとともに、ハウジングに設けられた係止部材が、ハウジング内において、差し込まれた配線板状部材を係止して配線板状部材に対する係止状態をとり、差し込まれた配線板状部材のハウジングからの不所望な抜脱を阻止する。その際、係止部材は、ハウジングに固定された基部から伸びる弾性アーム部に設けられた係合係止部に、ハウジングに差し込まれた配線板状部材における係合部との係合状態をとらせて配線板状部材を係止する。
【００１９】
そして、係止部材が配線板状部材に対する係止状態をとるもとで、ハウジングに揺動可能に配された係止解除部材が、例えば、押圧されて揺動せしめられると、係止解除部材が、係止部材に配線板状部材に対する係止を解除する係止解除状態をとらせ、ハウジングに差し込まれた配線板状部材のハウジングからの抜出しを可能とする。その際、揺動せしめられた係止解除部材は、係止部材に係合してその弾性アーム部を変位させることによって弾性アーム部に設けられた係合係止部を変位させ、その係合係止部を配線板状部材との係合状態から解放する。揺動せしめられた係止解除部材による係止部材の弾性アーム部の変位は、具体的には、例えば、係止解除部材が弾性アーム部を直接的に押圧することにより、あるいは、係止解除部材が弾性アーム部から伸びるものとして設けられた受圧部を押圧することによりもたらされる。
【００２０】
係止部材は、例えば、本願の特許請求の範囲における請求項７に記載された本発明に係るコネクタ装置の場合のように、弾性帯状板材がＳ字状の縦断面を形成すべく屈曲せしめられて基部及び弾性アーム部を成す部分を含むものとして形成され、一端部に係合係止部が設けられるとともに、他端部に外部接続部が設けられたものとされる。
【００２１】
また、係止解除部材は、例えば、本願の特許請求の範囲における請求項８に記載された本発明に係るコネクタ装置の場合のように、ハウジングと一体に形成されたものとされる。
【発明の効果】
【００２２】
本発明に係るコネクタ装置においては、上述のように、ハウジングにそれに設けられた板状部材差込み部を通じて差し込まれた配線板状部材に対しての、ハウジングからの不所望な抜脱を阻止するための係止、及び、ハウジングからの抜脱を可能とするための係止の解除を行うにあたり、例えば、ハウジングにおける複数のコンタクトの配列方向の両側部に設けられる一対の係止手段及び一対の係止解除手段等が不要とされ、それに代えて、ハウジングにおける複数のコンタクトの配列方向の中央部分に、ハウジングに差し込まれた配線板状部材に対する係止を行う係止状態と係止を解除する係止解除状態とを選択的にとる係止部材と、係止状態をとる係止部材に係止解除状態をとらせる係止解除部材とが配される。これらの係止部材及び係止解除部材は、夫々が１個設けられることで足りる。従って、本発明に係るコネクタ装置によれば、構成の簡略化と部品点数の減少とによる製造コストの低減を図ることができるもとで、ハウジングに板状部材差込み部を通じて差し込まれた配線板状部材に対するハウジングからの不所望な抜脱を阻止するための係止及びその係止の解除を、確実かつ容易に行うことができる。
【００２３】
そして、ハウジングに差し込まれた配線板状部材に対しての係止及び係止の解除を行う係止部材が、ハウジングに固定される基部と基部から伸びる弾性アーム部と弾性アーム部に設けられた係合係止部とを有し、係合係止部が、板状部材差込み部を通じてハウジングに差し込まれた配線板状部材における係合部に係合して配線板状部材を係止する。また、ハウジングに差し込まれた配線板状部材に対する係止状態をとる係止部材に係止解除状態をとらせる係止解除部材が、ハウジングに対して揺動可能とされ、例えば、押圧されて揺動せしめられるとき、係止部材に係合して弾性アーム部を変位させることにより係合係止部を変位させ、係合係止部を係合状態から解放する。それゆえ、本発明に係るコネクタ装置は、係止部材と係止解除部材との夫々が、簡単で容易に得ることができる構成を有するものとされることになる。
【００２４】
このような本発明に係るコネクタ装置にあっては、配線板状部材をハウジングにそれに設けられた板状部材差込み部を通じて差し込むだけで、配線板状部材に対しての係止部材による係止を行うことができ、それとともに、配線板状部材に対しての係止部材による係止の解除を、ハウジングに揺動可能に設けられた係止解除部材を、例えば、押圧して揺動させるだけで行うことができるので、配線板状部材に対しての係止部材による係止及び係止の解除を極めて簡単な操作によって行うことができるとともに、斯かる操作のために係止部材あるいは係止解除部材の周囲に格別なスペースを設けることが必要とされない。
【００２５】
特に、本願の特許請求の範囲における請求項７に記載された本発明に係るコネクタ装置にあっては、係止部材が、弾性帯状板材がＳ字状の縦断面を形成すべく屈曲せしめられて基部及び弾性アーム部を成す部分を含むものとして形成され、一端部に係合係止部が設けられるとともに、他端部に外部接続部が設けられたものとされるので、係合係止部により配線板状部材における係合部に係合して配線板状部材を係止する動作、及び、係合係止部に配線板状部材における係合部との係合を解除させる動作を、弾性力を伴って極めて確実に行なうことができることになる。
【００２６】
さらに、本願の特許請求の範囲における請求項８に記載された本発明に係るコネクタ装置にあっては、係止解除部材が、ハウジングと一体に形成されたものとされるので、極めて簡単な構成をもって揺動可能なものとして設けられることになる。
【図面の簡単な説明】
【００２７】
【図１】本発明に係るコネクタ装置の第１の例を示す平面図である。
【図２】本発明に係るコネクタ装置の第１の例を示す正面図である。
【図３】本発明に係るコネクタ装置の第１の例を示す背面図である。
【図４】図２におけるIV−IV線断面を示す断面図である。
【図５】本発明に係るコネクタ装置の第１の例が備える係止部材を示す斜視図である。
【図６】本発明に係るコネクタ装置の第１の例が備える係止部材を示す側面図である。
【図７】本発明に係るコネクタ装置の第１の例が備える係止部材を示す正面図である。
【図８】本発明に係るコネクタ装置の第１の例に装着されるフレキシブル印刷配線基板を示す部分斜視図である。
【図９】本発明に係るコネクタ装置の第１の例をそれに装着されるフレキシブル印刷配線基板の部分と共に示す斜視図である。
【図１０】本発明に係るコネクタ装置の第１の例をそれに装着されるフレキシブル印刷配線基板の部分と共に示す断面図である。
【図１１】本発明に係るコネクタ装置の第１の例に対してフレキシブル印刷配線基板が差し込み途中にある状態を示す断面図である。
【図１２】本発明に係るコネクタ装置の第１の例が備える係止部材がフレキシブル印刷配線基板を係止した状態を示す一部断面を含んだ部分斜視図である。
【図１３】本発明に係るコネクタ装置の第１の例が備える係止部材がフレキシブル印刷配線基板を係止した状態を示す部分断面図である。
【図１４】本発明に係るコネクタ装置の第１の例が備える係止部材がフレキシブル印刷配線基板に対する係止を解除した状態を示す一部断面を含んだ部分斜視図である。
【図１５】本発明に係るコネクタ装置の第１の例が備える係止部材がフレキシブル印刷配線基板に対する係止を解除した状態を部分断面図である。
【図１６】本発明に係るコネクタ装置の第２の例が備える係止部材を示す斜視図である。
【図１７】本発明に係るコネクタ装置の第２の例が備える係止部材を示す側面図である。
【図１８】本発明に係るコネクタ装置の第２の例が備える係止部材を示す正面図である。
【図１９】本発明に係るコネクタ装置の第２の例をそれに装着されるフレキシブル印刷配線基板の部分と共に示す断面図である。
【図２０】本発明に係るコネクタ装置の第２の例が備える係止部材がフレキシブル印刷配線基板を係止した状態を示す一部断面を含んだ部分斜視図である。
【図２１】本発明に係るコネクタ装置の第２の例が備える係止部材がフレキシブル印刷配線基板を係止した状態を示す部分断面図である。
【図２２】本発明に係るコネクタ装置の第２の例が備える係止部材がフレキシブル印刷配線基板に対する係止を解除した状態を示す一部断面を含んだ部分斜視図である。
【図２３】本発明に係るコネクタ装置の第２の例が備える係止部材がフレキシブル印刷配線基板に対する係止を解除した状態を部分断面図である。
【発明を実施するための形態】
【００２８】
本発明を実施するための形態は、以下に述べられる本発明についての実施例をもって説明される。
【実施例１】
【００２９】
図１（平面図），図２（正面図）及び図３（背面図）は、本発明に係るコネクタ装置の第１の例を示す。
【００３０】
図１〜図３において、本発明に係るコネクタ装置の第１の例を成すコネクタ装置１０は、合成樹脂等の絶縁材料によって形成されたハウジング１１を備えている。ハウジング１１には、その正面側端面部１１ａに板状部材差込み部１２が設けられており、板状部材差込み部１２からハウジング１１の内部へと板状部材収容空間が伸びている。
【００３１】
ハウジング１１は、実際の使用にあたっては配線基板にその上に配されて取り付けられ、それにより、コネクタ装置１０の全体が配線基板に固定されたものとされる。その際、ハウジング１１における板状部材差込み部１２が設けられた正面側端面部１１ａとそれに対向する背面側端面部１１ｂとに挟まれた一対の対向外面部は、そのうちの一方が配線基板に対接する外面部とされて他方が解放された外面部とされる。以下においては、配線基板に対接するハウジングの一方の外面部を有した部分を底板部１１ｃといい、それに対向するハウジングの他方の外面部を有した部分を天板部１１ｄという。そして、正面側端面部１１ａに設けられた板状部材差込み部１２を通じて、例えば、フレキシブル印刷配線基板が、配線板状部材を成すものとしてハウジング１１に差し込まれ、その一部がハウジング１１内の板状部材収容空間に収容される。
【００３２】
ハウジング１１には、各々が弾性導電材料で形成されてその大部分がハウジング１１の内部に配される複数のコンタクト１３が、ハウジング１１の長手方向（正面に向かって左右方向）に沿って配列配置されて設けられている。複数のコンタクト１３は、配線板状部材を成すフレキシブル印刷配線基板に配列配置された複数の接触端子部に夫々接触接続される信号用コンタクトとして設けられているが、他のフレキシブル印刷配線基板における複数の信号接触端子部及び接地接続部に接触接続される信号用及び接地用コンタクトとして用いられても良い。
【００３３】
複数のコンタクト１３の夫々は、弾性を有した導電性板材が屈曲成形されて形成され、図２におけるIV−IV線断面を示す図４に示されるように、ハウジング１１における正面側端面部１１ａの近傍部分に固定される固定部１３ａと固定部１３ａからハウジング１１内の板状部材収容空間へと伸びる可動片持ちビーム部１３ｂと固定部１３ａからハウジング１１の正面側端面部１１ａの外部へと屈曲して伸びる接続端子部１３ｃとを有している。可動片持ちビーム部１３ｂは、その自由端部分が配線板状部材を成すフレキシブル印刷配線基板における接触端子部に当接する接点部１３ｄを形成するものとされている。ハウジング１１の正面側端面部１１ａ側においてハウジング１１の外部に突出する接続端子部１３ｃは、ハウジング１１が配された配線基板における回路端子部に、例えば、半田付けをもって接続される。
【００３４】
それにより、配線板状部材を成すフレキシブル印刷配線基板が板状部材差込み部１２を通じてハウジング１１に差し込まれ、複数のコンタクト１３の夫々における接点部１３ｄが、ハウジング１１に差し込まれたフレキシブル印刷配線基板における対応する接触端子部に当接したときには、複数のコンタクト１３がフレキシブル印刷配線基板における複数の接触端子部に夫々接触接続された状態におかれ、ハウジング１１に差し込まれたフレキシブル印刷配線基板における複数の接触端子部が、複数のコンタクト１３を介して、ハウジング１１が配された配線基板における回路端子部に電気的に連結される。
【００３５】
また、コネクタ装置１０は、ハウジング１１におけるその長手方向、即ち、複数のコンタクト１３の配列方向（以下、コンタクト配列方向という。）の中央部分に配された係止部材１５と係止解除部材１６とを備えている。ハウジング１１におけるコンタクト配列方向の中央部分は、ハウジング１１における複数のコンタクト１３の配列方向の両端部に挟まれた部分であって、厳密な意味での中央とその周辺とを含んでいる。そして、係止部材１５は、配線板状部材を成すフレキシブル印刷配線基板が板状部材差込み部１２を通じてハウジング１１に差し込まれたとき、フレキシブル印刷配線基板に対する係止を行う係止状態とその係止を解除する係止解除状態とを選択的にとるためのものとして備えられており、また、係止解除部材１６は、フレキシブル印刷配線基板との係止状態をとる係止部材１５に、係止解除状態をとらせるためのものとして備えられている。
【００３６】
係止部材１５は、例えば、金属材料によって形成されて、ハウジング１１におけるコンタクト配列方向の中央部分に取り付けられ、ハウジング１１におけるコンタクト配列方向の中央部分において、ハウジング１１の天板部１１ｄに形成された矩形透孔１７を通じてハウジング１１の外部に臨むものとされる。一方、係止解除部材１６は、ハウジング１１におけるコンタクト配列方向の中央部分において、ハウジング１１の天板部１１ｄにそれと一体に形成されており、天板部１１ｄから伸びる一対の腕状部１８と一対の腕状部１８の夫々の先端部分を相互連結する操作部１９とを有している。操作部１９は、ハウジング１１の天板部１１ｄの外部に突出している。このような係止解除部材１６における一対の腕状部１８及び操作部１９は、それらによって囲まれた矩形透孔１７を形成している。
【００３７】
そして、係止解除部材１６は、その全体がハウジング１１に対して弾性揺動可能とされている。例えば、係止解除部材１６における操作部１９がハウジング１１の天板部１１ｄ側から底板部１１ｃ側に向かう方向に押圧されるとき、係止解除部材１６の全体が、一対の腕状部１８の夫々のハウジング１１の天板部１１ｄとの連結部を仮想支軸部分として、ハウジング１１の底板部１１ｃ側へと弾性揺動し、その後、操作部１９に対する押圧が解除されると、係止解除部材１６の全体が元の位置に弾性復元する。
【００３８】
係止部材１５は、図５（斜視図），図６（側面図）及び図７（正面図）に示されるように、例えば、細長金属板材とされる弾性帯状板材がＳ字状の縦断面を形成すべく屈曲せしめられて形成されて、ハウジング１１に固定される基部２０及び基部２０から屈曲して伸びる弾性アーム部２１を成す部分を含むものとされており、その一端部に、後述されるようにフレキシブル印刷配線基板における係合部との係合状態をとってフレキシブル印刷配線基板を係止する一対の係合係止部２２が設けられるとともに、その他端部に外部接続部２３が設けられている。このようなもとで、一対の係合係止部２２は、基部２０から屈曲して伸びる弾性アーム部２１の自由端部に設けられており、また、外部接続部２３は、基部２０から弾性アーム部２１とは反対側に伸びるものとされている。
【００３９】
そして、係止部材１５がハウジング１１におけるコンタクト配列方向の中央部分に取り付けられたもとにあっては、後述される図１０に示されるように、基部２０が、ハウジング１１の底板部１１ｃにおけるハウジング１１の背面側端面部１１ｂ側の部分に固定され、また、基部２０から伸びる外部接続部２３が、ハウジング１１の背面側端面部１１ｂからハウジング１１の外部に突出して、ハウジング１１が配された配線基板に設けられた導体部分に半田付けされる。それにより、配線基板に設けられた導体部分に半田付けされる外部接続部２３が、配線基板に対するその上に配されたハウジング１１の堅固な固定に貢献する。そして、基部２０から屈曲して伸びる弾性アーム部２１がその自由端部をハウジング１１の正面側端面部１１ａに向けたものとされ、その弾性アーム部２１の自由端部に設けられた一対の係合係止部２２は、コンタクト配列方向に配置されたものとされ、ハウジング１１に板状部材差込み部１２を通じて差し込まれたフレキシブル印刷配線基板における係合部との係合状態をとってフレキシブル印刷配線基板を係止する。
【００４０】
また、係止部材１５がハウジング１１におけるコンタクト配列方向の中央部分に取り付けられたもとにあっては、ハウジング１１の天板部１１ｄと一体に形成された係止解除部材１６の操作部１９が、係止部材１５の基部２０から屈曲してハウジング１１の正面側端面部１１ａに向って伸びる弾性アーム部２１におけるハウジング１１の背面側端面部１１ｂ側の端部に近接した位置に配されたものとされる。
【００４１】
図８は、コネクタ装置１０に装着される配線板状部材を成すフレキシブル印刷配線基板３０を示す。
【００４２】
図８に示されるように、フレキシブル印刷配線基板３０は、各々が導電材料によって形成された複数の接触端子部３１が配列配置されて配された平板状部３０ａを有している。斯かるフレキシブル印刷配線基板３０の平板状部３０ａにおける複数の接触端子部３１の配列方向（以下端子配列方向という。）の中央部分に、透孔を成すものとされた係合部３２が形成されている。また、フレキシブル印刷配線基板３０における平板状部３０ａ以外の部分であって複数の接触端子部３１に連結された部分は、絶縁皮膜３３によって覆われている。
【００４３】
このようなフレキシブル印刷配線基板３０は、コネクタ装置１０のハウジング１１に板状部材差込み部１２を通じて差し込まれるが、その際には、平板状部３０ａにおける複数の接触端子部３１が配列配置された面がハウジング１１の底板部１１ｃの内面に対面する状態におかれる。そして、フレキシブル印刷配線基板３０がハウジング１１に差し込まれたときには、その平板状部３０ａがハウジング１１の内部における板状部材収容空間に収容され、平板状部３０ａに配列配置された複数の接触端子部３１の夫々に、ハウジング１１に配列配置された複数のコンタクト１３の夫々の接点部１３ｄが、ハウジング１１の底板部１１ｃ側から当接する。それにより、ハウジング１１に配列配置された複数のコンタクト１３がフレキシブル印刷配線基板３０の平板状部３０ａに配列配置された複数の接触端子部３１に夫々接触接続される。
【００４４】
フレキシブル印刷配線基板３０がコネクタ装置１０のハウジング１１に板状部材差込み部１２を通じて差し込まれるにあたっては、先ず、フレキシブル印刷配線基板３０が、図９及び図１０に示される位置に配される。このとき、フレキシブル印刷配線基板３０は、配線基板４０（図９において仮想線をもって示されている。）上に配されたコネクタ装置１０のハウジング１１に対して、平板状部３０ａにおける複数の接触端子部３１が配列配置された面を配線基板４０のハウジング１１が配された面に対面させる状態におかれ、図１０に明瞭に示されるように、平板状部３０ａの先端部分を、ハウジング１１の正面側端面部１１ａに設けられた板状部材差込み部１２に対向させる。
【００４５】
次に、図１１に示されるように、フレキシブル印刷配線基板３０が、複数の接触端子部３１が配列配置されるとともに係合部３２が形成された平板状部３０ａを前方側部分として、コネクタ装置１０のハウジング１１の正面側端面部１１ａに設けられた板状部材差込み部１２を通じてハウジング１１に差し込まれ、平板状部３０ａがハウジング１１の内部における板状部材収容空間に入り込むものとされる。斯かる際、ハウジング１１に配された係止部材１５が備える弾性アーム部２１に設けられた一対の係合係止部２２が、板状部材収容空間内に位置するものとされていて、フレキシブル印刷配線基板３０の平板状部３０ａに乗り上げる状態におかれる。その際、係止部材１５における一対の係合係止部２２が設けられた弾性アーム部２１が、一対の係合係止部２２を伴ってハウジング１１の天板部１１ｄに形成された矩形透孔１７を通じてハウジング１１の外部に向かって変位する。
【００４６】
続いて、フレキシブル印刷配線基板３０が更にコネクタ装置１０のハウジング１１に差し込まれ、フレキシブル印刷配線基板３０の平板状部３０ａがハウジング１１の内部における板状部材収容空間内の予め設定された所定の位置に達すると、図１２及び図１３に示されるように、ハウジング１１に配された係止部材１５が備える弾性アーム部２１に設けられた一対の係合係止部２２が、フレキシブル印刷配線基板３０の平板状部３０ａに乗り上げた状態から、フレキシブル印刷配線基板３０の平板状部３０ａに形成された係合部３２に係合する状態に移行する。斯かる一対の係合係止部２２の係合部３２との係合は、係止部材１５における一対の係合係止部２２が設けられた弾性アーム部２１が、ハウジング１１の天板部１１ｄに形成された矩形透孔１７を通じてハウジング１１の外部に向かって変位した位置から自らの弾性によって元の位置に戻ることによって行われる。
【００４７】
このようにして、フレキシブル印刷配線基板３０の平板状部３０ａに形成された係合部３２との係合状態をとる係止部材１５における一対の係合係止部２２は、それによりフレキシブル印刷配線基板３０を係止する。その結果、ハウジング１１に差し込まれたフレキシブル印刷配線基板３０がハウジング１１におけるコンタクト配列方向の中央部分に配された係止部材１５によって係止された状態が得られ、当該フレキシブル印刷配線基板３０のハウジング１１からの不所望な抜脱が阻止される。即ち、フレキシブル印刷配線基板３０は、ハウジング１１に板状部材差込み部１２を通じて適正に差し込まれるだけで、係合部材１５により係止されてハウジング１１からの不所望な抜脱が阻止される状態におかれることになる。
【００４８】
フレキシブル印刷配線基板３０がハウジング１１への板状部材差込み部１２を通じての差込を完了して正規の差込み位置をとるもとにおいては、ハウジング１１に配列配置された複数のコンタクト１３が、各々の接点部１３ｄをハウジング１１に差し込まれたフレキシブル印刷配線基板３０の平板状部３０ａに配された複数の接触端子部３１に夫々弾性当接させて、複数の接触端子部３１に夫々接触接続された状態におかれる。それにより、ハウジング１１に差し込まれたフレキシブル印刷配線基板３０における複数の接触端子部３１が、複数のコンタクト１３を介して、ハウジング１１が配された配線基板４０に設けられた回路端子に電気的に連結される。斯かる状態は、フレキシブル印刷配線基板３０がハウジング１１に板状部材差込み部１２を通じて適正に差し込まれるだけで得られる。
【００４９】
その後、図１４及び図１５に示されるように、ハウジング１１の天板部１１ｄと一体に形成された係止解除部材１６の操作部１９が、ハウジング１１の天板部１１ｄ側から底板部１１ｃ側に向かう方向に押圧されると、係止解除部材１６の全体が、一対の腕状部１８の夫々のハウジング１１の天板部１１ｄとの連結部を仮想支軸部分として、ハウジング１１の底板部１１ｃ側へと弾性揺動し、それに伴って、操作部１９が、係止部材１５の弾性アーム部２１におけるハウジング１１の背面側端面部１１ｂ側の端部を、係止部材１５の基部２０に向かう方向に押圧する。その際、ハウジング１１の底板部１１ｃ側へと弾性揺動する係止解除部材１６は、ハウジング１１における背面側端面部１１ｂ側の部分に形成されて係止解除部材１６の操作部１９に当接するストッパー部１１ｅによって、その揺動が制限される。即ち、ハウジング１１には、係止解除部材１６がハウジング１１の底板部１１ｃ側へと弾性揺動せしめられるとき、係止解除部材１６の操作部１９に当接して係止解除部材１６の揺動を制限するストッパー部１１ｅが設けられているのである。
【００５０】
上述のようにして、係止解除部材１６の操作部１９が、係止部材１５の弾性アーム部２１におけるハウジング１１の背面側端面部１１ｂ側の端部を、係止部材１５の基部２０に向かう方向に押圧することにより、係止部材１５の弾性アーム部２１が、その自由端部を、それに設けられた一対の係合係止部２２と共に、ハウジング１１の天板部１１ｄに形成された矩形透孔１７を通じてハウジング１１の外部に向けて弾性変位させる。それに伴い、係止部材１５の弾性アーム部２１における自由端部に設けられた一対の係合係止部２２が、ハウジング１１に差し込まれたフレキシブル印刷配線基板３０の平板状部３０ａに形成された係合部３２との係合を解除し、フレキシブル印刷配線基板３０に対する係止を止める。
【００５１】
その結果、ハウジング１１に差し込まれたフレキシブル印刷配線基板３０がハウジング１１におけるコンタクト配列方向の中央部分に配された係止部材１５によって係止された状態から解放され、当該フレキシブル印刷配線基板３０のハウジング１１からの抜出しが可能とされる。即ち、係止部材１５による係止状態におかれたフレキシブル印刷配線基板３０にあっては、係止解除部材１６の操作部１９が押圧されるだけで、係止部材１５による係止が解除されることになる。
【００５２】
その後、係止解除部材１６の操作部１９に対する押圧が解除されると、係止解除部材１６の全体が自らの弾性によって元の位置に戻り、それと共に、係止部材１５の弾性アーム部２１も自らの弾性によって元の位置に戻る。
【００５３】
上述のようなコネクタ装置１０にあっては、ハウジング１１にそれに設けられた板状部材差込み部１２を通じて差し込まれたフレキシブル印刷配線基板３０に対しての、ハウジング１１からの不所望な抜脱を阻止するための係止、及び、ハウジング１１からの抜脱を可能とするための係止の解除を行うにあたり、例えば、ハウジング１１における複数のコンタクト１３の配列方向の両側部に一対の係止手段及び一対の係止解除手段を設けることが不要とされ、それに代えて、ハウジング１１における複数のコンタクト１３の配列方向の中央部分に、ハウジング１１に差し込まれたフレキシブル印刷配線基板３０に対する係止を行う係止状態と係止を解除する係止解除状態とを選択的にとる係止部材１５と、係止状態をとる係止部材１５に係合してその係止部材１５に係止解除状態をとらせる係止解除部材１６とが配される。そして、これらの係止部材１５及び係止解除部材１６は、夫々が１個設けられることで足りる。従って、コネクタ装置１０によれば、構成の簡略化と部品点数の減少とによる製造コストの低減を図ることができるもとで、ハウジング１１に板状部材差込み部１２を通じて差し込まれたフレキシブル印刷配線基板３０に対するハウジング１１からの不所望な抜脱を阻止するための係止及びその係止の解除を、確実かつ容易に行うことができる。
【００５４】
そして、ハウジング１１に差し込まれたフレキシブル印刷配線基板３０に対しての係止及び係止の解除を行う係止部材１５が、ハウジング１１に固定される基部２０と基部２０から伸びる弾性アーム部２１と弾性アーム部２１に設けられた係合係止部２２とを有し、係合係止部２２が、板状部材差込み部１２を通じてハウジング１１に差し込まれたフレキシブル印刷配線基板３０における係合部３２に係合してフレキシブル印刷配線基板３０を係止する。また、ハウジング１１に差し込まれたフレキシブル印刷配線基板３０に対する係止状態をとる係止部材１５に係合してその係止部材１５に係止解除状態をとらせる係止解除部材１６が、ハウジング１１に対して揺動可能とされ、例えば、押圧されて揺動せしめられることによって、係止部材１５の弾性アーム部２１を押圧して係合係止部２２を変位させ、係合係止部２２をフレキシブル印刷配線基板３０との係合状態から解放する。それゆえ、コネクタ装置１０は、係止部材１５と係止解除部材１６との夫々が、簡単で容易に得ることができる構成を有するものとされることになる。
【００５５】
このようなコネクタ装置１０にあっては、フレキシブル印刷配線基板３０をハウジング１１にそれに設けられた板状部材差込み部１２を通じて差し込むだけで、フレキシブル印刷配線基板３０に対しての係止部材１５による係止を行うことができ、それとともに、フレキシブル印刷配線基板３０に対しての係止部材１５による係止の解除を、ハウジング１１に揺動可能に設けられた係止解除部材１６を、例えば、押圧して揺動させるだけで行うことができるので、フレキシブル印刷配線基板３０に対しての係止部材１５による係止及び係止の解除を極めて簡単な操作によって行うことができるとともに、斯かる操作のために係止部材１５あるいは係止解除部材１６の周囲に格別なスペースを設けることが必要とされない。
【００５６】
また、コネクタ装置１０にあっては、係止部材１５が、弾性帯状板材がＳ字状の縦断面を形成すべく屈曲せしめられて基部２０及び弾性アーム部２１を成す部分を含むものとして形成され、一端部に係合係止部２２が設けられるとともに他端部に外部接続部２３が設けられたものとされるので、係合係止部２２によりフレキシブル印刷配線基板３０における係合部３２に係合してフレキシブル印刷配線基板３０を係止する動作、及び、係合係止部２２にフレキシブル印刷配線基板３０における係合部３２との係合を解除させる動作を、弾性力を伴って極めて確実に行なうことができることになる。
【００５７】
さらに、コネクタ装置１０にあっては、係止解除部材１６が、ハウジング１１と一体に形成されたものとされるので、極めて簡単な構成をもって揺動可能なものとして設けられることになる。
【実施例２】
【００５８】
図１６（斜視図），図１７（側面図）及び図１８（正面図）は、本発明に係るコネクタ装置の第２の例に備えられる係止部材５１を示す。
【００５９】
本発明に係るコネクタ装置の第２の例を成すコネクタ装置５０（後述される図１９〜図２３に示されている。）は、本発明に係るコネクタ装置の第１の例を成す上述のコネクタ装置１０において、係止部材１５に代えて係止部材５１が備えられるとともに、ハウジング１１における背面側端面部１１ｂ側の部分の形状、及び、ハウジング１１と一体的に形成された係止解除部材１６の操作部１９の形状が若干変えられたものとして構成される。図１９〜図２３においては、コネクタ装置５０におけるコネクタ装置１０の各部分と同様に構成された部分には、コネクタ装置１０の各部分と共通の符号が付されて示されている。
【００６０】
図１６〜図１８に示される係止部材５１は、その主要部が、例えば、細長金属板材とされる弾性帯状板材５２がＳ字状の縦断面を形成すべく屈曲せしめられて形成されて、コネクタ装置５０のハウジング１１に固定される基部５３を成す部分，基部５３から屈曲して伸びる弾性アーム部５４を形成する部分、及び、基部５３から弾性アーム部５４とは逆方向に屈曲して伸びて先端部分に外部接続部５５が設けられた部分を含むものとされている。そして、弾性アーム部５４の自由端部には、後述されるようにフレキシブル印刷配線基板における係合部との係合状態をとってフレキシブル印刷配線基板を係止する一対の係合係止部５６が設けられている。
【００６１】
また、係止部材５１における弾性アーム部５４は、各々が弾性アーム部５４から伸びてハウジング１１と一体的に形成された係止解除部材１６による押圧を受ける一対の受圧部５７が設けられたものとされている。これら一対の受圧部５７は、弾性アーム部５４を挟んで相互対向する。
【００６２】
このような係止部材５１がハウジング１１におけるコンタクト配列方向の中央部分に取り付けられたもとにあっては、図１９に示されるように、基部５３が、ハウジング１１の底板部１１ｃに設けられたスリット１１ｆにハウジング１１の背面側端面部１１ｂ側から圧入されて固定され、また、基部５３から伸びる外部接続部５５が、ハウジング１１の背面側端面部１１ｂ側においてハウジング１１の外部に突出して、ハウジング１１が配された配線基板に設けられた導体部分に半田付けされる。それにより、配線基板に設けられた導体部分に半田付けされる外部接続部５５が、配線基板に対するその上に配されたハウジング１１の堅固な固定に貢献する。そして、基部５３から屈曲して伸びる弾性アーム部５４がその自由端部をハウジング１１の正面側端面部１１ａに向けたものとされ、その弾性アーム部５４の自由端部に設けられた一対の係合係止部５６は、コンタクト配列方向に配置されたものとされ、ハウジング１１に板状部材差込み部１２を通じて差し込まれたフレキシブル印刷配線基板における係合部との係合状態をとってフレキシブル印刷配線基板を係止する。
【００６３】
さらに、係止部材５１がハウジング１１に取り付けられたもとにあっては、係止部材５１における弾性アーム部５４から伸びる一対の受圧部５７が、コンタクト配列方向において弾性アーム部５４を挟んで相互対向する位置に配される。そして、一対の受圧部５７の各々は、弾性アーム部５４からハウジング１１の背面側端面部１１ｂ側へと屈曲して伸びており、その自由端部がハウジング１１の背面側端面部１１ｂからその外部へと突出している。
【００６４】
そして、係止部材５１がハウジング１１におけるコンタクト配列方向の中央部分に取り付けられたもとにあっては、ハウジング１１の天板部１１ｄと一体に形成された係止解除部材１６における一対の腕状部１８の夫々の先端部分を相互連結する操作部１９が、係止部材５１の弾性アーム部５４からハウジング１１の背面側端面部１１ｂの外部へと屈曲して伸びる一対の受圧部５７の夫々における自由端部が形成する端面部分５７ａに対向する位置に配されたものとされる。
【００６５】
このような係止部材５１を備えたコネクタ装置５０も、実際に使用されるにあたっては、例えば、図９において仮想線をもって示される配線基板４０上に配される。そして、例えば、図８に示されるフレキシブル印刷配線基板３０が、コネクタ装置５０のハウジング１１にそれに設けられた板状部材差込み部１２を通じて差し込まれるが、その際には、フレキシブル印刷配線基板３０の平板状部３０ａにおける複数の接触端子部３１が配列配置された面がハウジング１１の底板部１１ｃの内面に対面する状態におかれる。そして、フレキシブル印刷配線基板３０がコネクタ装置５０のハウジング１１に差し込まれたときには、その平板状部３０ａがハウジング１１の内部における板状部材収容空間に収容され、平板状部３０ａに配列配置された複数の接触端子部３１の夫々に、ハウジング１１に配列配置された複数のコンタクト１３の夫々の接点部１３ｄが、ハウジング１１の底板部１１ｃ側から当接する。それにより、コネクタ装置５０のハウジング１１に配列配置された複数のコンタクト１３がフレキシブル印刷配線基板３０の平板状部３０ａに配列配置された複数の接触端子部３１に夫々接触接続される。
【００６６】
フレキシブル印刷配線基板３０がコネクタ装置５０のハウジング１１に板状部材差込み部１２を通じて差し込まれるにあたっては、先ず、フレキシブル印刷配線基板３０が、図１９に示される位置に配される。このとき、フレキシブル印刷配線基板３０は、配線基板４０（図示が省略されている。）上に配されたコネクタ装置５０のハウジング１１に対して、平板状部３０ａにおける複数の接触端子部３１が配列配置された面を配線基板４０のハウジング１１が配された面に対面させる状態におかれ、図１９に明瞭に示されるように、平板状部３０ａの先端部分を、ハウジング１１の正面側端面部１１ａに設けられた板状部材差込み部１２に対向させる。
【００６７】
次に、フレキシブル印刷配線基板３０が、複数の接触端子部３１が配列配置されるとともに係合部３２が形成された平板状部３０ａを前方側部分として、コネクタ装置５０のハウジング１１の正面側端面部１１ａに設けられた板状部材差込み部１２を通じてハウジング１１に差し込まれる。それにより、フレキシブル印刷配線基板３０の平板状部３０ａが、コネクタ装置５０のハウジング１１の内部における板状部材収容空間に入り込むものとされる。
【００６８】
続いて、フレキシブル印刷配線基板３０が更にコネクタ装置５０のハウジング１１に差し込まれる。そして、フレキシブル印刷配線基板３０の平板状部３０ａがハウジング１１の内部における板状部材収容空間内の予め設定された所定の位置に達すると、図２０及び図２１に示されるように、ハウジング１１に配された係止部材５１が備える弾性アーム部５４に設けられた一対の係合係止部５６が、フレキシブル印刷配線基板３０の平板状部３０ａに形成された係合部３２に係合する状態におかれる。
【００６９】
このようにして、フレキシブル印刷配線基板３０の平板状部３０ａに形成された係合部３２との係合状態をとる係止部材５１における一対の係合係止部５６は、それによりフレキシブル印刷配線基板３０を係止する。その結果、コネクタ装置５０のハウジング１１に差し込まれたフレキシブル印刷配線基板３０がハウジング１１におけるコンタクト配列方向の中央部分に配された係止部材５１によって係止された状態が得られ、当該フレキシブル印刷配線基板３０のハウジング１１からの不所望な抜脱が阻止される。即ち、フレキシブル印刷配線基板３０は、ハウジング１１に板状部材差込み部１２を通じて適正に差し込まれるだけで、係合部材５１により係止されてハウジング１１からの不所望な抜脱が阻止される状態におかれることになる。
【００７０】
フレキシブル印刷配線基板３０がコネクタ装置５０のハウジング１１への板状部材差込み部１２を通じての差込を完了して正規の差込み位置をとるもとにおいては、ハウジング１１に配列配置された複数のコンタクト１３が、各々の接点部１３ｄをハウジング１１に差し込まれたフレキシブル印刷配線基板３０の平板状部３０ａに配された複数の接触端子部３１に夫々弾性当接させて、複数の接触端子部３１に夫々接触接続された状態におかれる。それにより、ハウジング１１に差し込まれたフレキシブル印刷配線基板３０における複数の接触端子部３１が、複数のコンタクト１３を介して、ハウジング１１が配された配線基板４０に設けられた回路端子に電気的に連結される。斯かる状態は、フレキシブル印刷配線基板３０がハウジング１１に板状部材差込み部１２を通じて適正に差し込まれるだけで得られる。
【００７１】
その後、図２２及び図２３に示されるように、ハウジング１１の天板部１１ｄと一体に形成された係止解除部材１６の操作部１９が、ハウジング１１の天板部１１ｄ側から底板部１１ｃ側に向かう方向に押圧されると、係止解除部材１６の全体が、一対の腕状部１８の夫々のハウジング１１の天板部１１ｄとの連結部を仮想支軸部分として、ハウジング１１の底板部１１ｃ側へと弾性揺動し、それに伴って、係止解除部材１６の操作部１９が、係止部材５１に係合して、係止部材５１の弾性アーム部５４を係止部材５１の基部５３から離隔する方向に変位させる。斯かる際、ハウジング１１の天板部１１ｄ側から底板部１１ｃ側に向かう方向に押圧された係止解除部材１６の操作部１９は、係止部材５１の弾性アーム部５４から伸びる一対の受圧部５７の夫々における自由端部が形成する端面部分５７ａに当接して、一対の受圧部５７の夫々の自由端部を係止部材５１の基部５３から伸びる外部接続部５５に向かう方向に押圧する。即ち、係止部材５１の受圧部５７が、係止解除部材１６の操作部１９による係止部材５１の外部接続部５５に向かう方向の押圧を受ける状態におかれるのである。
【００７２】
上述のようにして、係止解除部材１６の操作部１９が、係止部材５１の弾性アーム部５４から伸びる一対の受圧部５７の夫々における自由端部を係止部材５１の外部接続部５５に向かう方向に押圧することにより、一対の受圧部５７の夫々が係止部材５１の外部接続部５５に向かう方向に変位し、それに伴って、係止部材５１の弾性アーム部５４が、その自由端部を、それに設けられた一対の係合係止部５６と共に、ハウジング１１の天板部１１ｄに形成された矩形透孔１７を通じてハウジング１１の外部に向けて弾性変位させる。それに伴い、係止部材５１の弾性アーム部５４における自由端部に設けられた一対の係合係止部５６が、ハウジング１１に差し込まれたフレキシブル印刷配線基板３０の平板状部３０ａに形成された係合部３２との係合を解除し、フレキシブル印刷配線基板３０に対する係止を止める。
【００７３】
その結果、ハウジング１１に差し込まれたフレキシブル印刷配線基板３０がハウジング１１におけるコンタクト配列方向の中央部分に配された係止部材５１によって係止された状態から解放され、当該フレキシブル印刷配線基板３０のハウジング１１からの抜出しが可能とされる。即ち、係止部材５１による係止状態におかれたフレキシブル印刷配線基板３０にあっては、係止解除部材１６の操作部１９が押圧されるだけで、係止部材５１による係止が解除されることになる。
【００７４】
その後、係止解除部材１６の操作部１９に対する押圧が解除されると、係止解除部材１６の全体が自らの弾性によって元の位置に戻り、それと共に、係止部材５１の弾性アーム部５４も自らの弾性によって元の位置に戻る。
【００７５】
上述のようなコネクタ装置５０にあっても、ハウジング１１にそれに設けられた板状部材差込み部１２を通じて差し込まれたフレキシブル印刷配線基板３０に対しての、ハウジング１１からの不所望な抜脱を阻止するための係止、及び、ハウジング１１からの抜脱を可能とするための係止の解除を行うにあたり、例えば、ハウジング１１における複数のコンタクト１３の配列方向の両側部に一対の係止手段及び一対の係止解除手段を設けることが不要とされ、それに代えて、ハウジング１１における複数のコンタクト１３の配列方向の中央部分に、ハウジング１１に差し込まれたフレキシブル印刷配線基板３０に対する係止を行う係止状態と係止を解除する係止解除状態とを選択的にとる係止部材５１と、係止状態をとる係止部材５１に係合してその係止部材５１に係止解除状態をとらせる係止解除部材１６とが配される。そして、これらの係止部材５１及び係止解除部材１６は、夫々が１個設けられることで足りる。従って、コネクタ装置５０によれば、構成の簡略化と部品点数の減少とによる製造コストの低減を図ることができるもとで、ハウジング１１に板状部材差込み部１２を通じて差し込まれたフレキシブル印刷配線基板３０に対するハウジング１１からの不所望な抜脱を阻止するための係止及びその係止の解除を、確実かつ容易に行うことができる。
【００７６】
そして、ハウジング１１に差し込まれたフレキシブル印刷配線基板３０に対しての係止及び係止の解除を行う係止部材５１が、ハウジング１１に固定される基部５３と、基部５３から伸びる弾性アーム部５４と、弾性アーム部５４に設けられた係合係止部５６と、弾性アーム部５４から伸びる受圧部５７とを有し、係合係止部５６が、板状部材差込み部１２を通じてハウジング１１に差し込まれたフレキシブル印刷配線基板３０における係合部３２に係合してフレキシブル印刷配線基板３０を係止する。また、ハウジング１１に差し込まれたフレキシブル印刷配線基板３０に対する係止状態をとる係止部材５１に係合してその係止部材５１に係止解除状態をとらせる係止解除部材１６が、ハウジング１１に対して揺動可能とされ、例えば、押圧されて揺動せしめられることによって、係止部材５１の受圧部５７を押圧して弾性アーム部５４及びそれに設けられた係合係止部５６を変位させ、係合係止部５６をフレキシブル印刷配線基板３０との係合状態から解放する。それゆえ、コネクタ装置５０は、係止部材５１と係止解除部材１６との夫々が、簡単で容易に得ることができる構成を有するものとされることになる。
【００７７】
このようなコネクタ装置５０にあっては、フレキシブル印刷配線基板３０をハウジング１１にそれに設けられた板状部材差込み部１２を通じて差し込むだけで、フレキシブル印刷配線基板３０に対しての係止部材５１による係止を行うことができ、それとともに、フレキシブル印刷配線基板３０に対しての係止部材５１による係止の解除を、ハウジング１１に揺動可能に設けられた係止解除部材１６を、例えば、押圧して揺動させるだけで行うことができるので、フレキシブル印刷配線基板３０に対しての係止部材５１による係止及び係止の解除を極めて簡単な操作によって行うことができるとともに、斯かる操作のために係止部材５１あるいは係止解除部材１６の周囲に格別なスペースを設けることが必要とされない。
【００７８】
また、コネクタ装置５０にあっては、係止部材５１が、弾性帯状板材５２がＳ字状の縦断面を形成すべく屈曲せしめられて基部５３，弾性アーム部５４及び外部接続部５５を成す部分を含むものとされたもとで、弾性アーム部５４に係合係止部５６が設けられるとともに弾性アーム部５４から受圧部５７が伸びるものとされて形成されるので、係合係止部５６によりフレキシブル印刷配線基板３０における係合部３２に係合してフレキシブル印刷配線基板３０を係止する動作、及び、係合係止部５６にフレキシブル印刷配線基板３０における係合部３２との係合を解除させる動作を、弾性力を伴って極めて確実に行なうことができることになる。
【００７９】
さらに、コネクタ装置５０にあっても、係止解除部材１６が、ハウジング１１と一体に形成されたものとされるので、極めて簡単な構成をもって揺動可能なものとして設けられることになる。
【産業上の利用可能性】
【００８０】
以上のような本発明に係るコネクタ装置は、例えば、フレキシブル印刷配線基板等とされる配線板状部材の配線基板への取付けに用いられる、板状部材差込み部が設けられたハウジングと、ハウジングに配列配置されて設けられる複数のコンタクトと、ハウジングに差し込まれた配線板状部材に対する係止状態と係止解除状態とを選択的にとる係止部材と、係止状態をとる係止部材に係合してその係止部材に係止解除状態をとらせる係止解除部材とを備えたコネクタ装置であって、部品点数を比較的少とする簡単な構成を有していて製造コストの低減を図ることができ、さらに、簡単かつ容易な操作をもって、ハウジングに差し込まれた配線板状部材に対するハウジングからの不所望な抜脱を阻止するための係止及びその係止の解除を確実に行えるものとして、様々な電子機器等に広く適用され得るものである。
【符号の説明】
【００８１】
１０，５０・・・コネクタ装置，  １１・・・ハウジング，  １１ａ・・・正面側端面部，  １１ｂ・・・背面側端面部，  １１ｃ・・・底板部，  １１ｄ・・・天板部，  １１ｅ・・・ストッパー部，  １１ｆ・・・スリット，  １２・・・板状部材差込み部，  １３・・・コンタクト，  １３ｄ・・・接点部，  １５，５１・・・係止部材，  １６・・・係止解除部材，  １７・・・矩形透孔，  １８・・・腕状部，  １９・・・操作部，  ２０，５３・・・基部，  ２１，５４・・・弾性アーム部，  ２２，５６・・・係合係止部,   ２３，５５・・・外部接続部,   ３０・・・フレキシブル印刷配線基板，  ３０ａ・・・平板状部，  ３１・・・接触端子部，  ３２・・・係合部，  ５２・・・弾性帯状板材，  ５７・・・受圧部，  ５７ａ・・・端面部分
【図１】
2014029769.tif 000003
【図２】
2014029769.tif 000004
【図３】
2014029769.tif 000005
【図４】
2014029769.tif 000006
【図５】
2014029769.tif 000007
【図６】
2014029769.tif 000008
【図７】
2014029769.tif 000009
【図８】
2014029769.tif 000010
【図９】
2014029769.tif 000011
【図１０】
2014029769.tif 000012
【図１１】
2014029769.tif 000013
【図１２】
2014029769.tif 000014
【図１３】
2014029769.tif 000015
【図１４】
2014029769.tif 000016
【図１５】
2014029769.tif 000017
【図１６】
2014029769.tif 000018
【図１７】
2014029769.tif 000019
【図１８】
2014029769.tif 000020
【図１９】
2014029769.tif 000021
【図２０】
2014029769.tif 000022
【図２１】
2014029769.tif 000023
【図２２】
2014029769.tif 000024
【図２３】
2014029769.tif 000025